(57)【要約】  【課題】早期の機能回復のために、又、できるだけ医療費を嵩ませないためにも自宅等の医療現場以外の場所でもリハビリ可能で個人でも容易に取り扱えることができる膝リハビリテーション具を提供すること。  【解決手段】膝リハビリテーション具１は、給排気により膨張収縮する軟質プラスチックよりなり、斜辺部４と、垂辺部５と、底辺部６と、斜辺部４及び垂辺部５を接続する第１接続部７と、底辺部６及び斜辺部４を接続する第２接続部８とを備え、前記各部４〜８には互いに連通する空気収容室Ｒが複数列設けられ、前記各部４〜８において隣接する空気収容室Ｒ，Ｒ間には、空気収容時に谷部Ｖが形成されるよう一部に連通口９を残した状態で閉鎖部１０が設けられており、さらに、前記空気収容室Ｒのいずれかに逆止弁付き給排気部１１，１１ａが設けられている。【選択図】    図２
2018201757.tif 000002
【特許請求の範囲】
【請求項１】
給排気により膨張収縮する軟質プラスチックよりなり、
斜辺部と、垂辺部と、底辺部と、斜辺部及び垂辺部を接続する第１接続部と、底辺部及び斜辺部を接続する第２接続部とを備え、
前記各部には互いに連通する空気収容室が複数列設けられ、
前記各部において隣接する空気収容室間には、空気収容時に谷部が形成されるよう一部に連通口を残した状態で閉鎖部が設けられている膝リハビリテーション具であって、
さらに、前記空気収容室のいずれかに逆止弁付き給排気部が設けられていることを特徴とする膝リハビリテーション具。
【請求項２】
前記逆止弁付き給排気部が設けられている空気収容室とは異なる別の空気収容室にも予備用の逆止弁付き給排気部が設けられている請求項１に記載の膝リハビリテーション具。
【請求項３】
前記逆止弁付き給排気部は、２枚の軟質プラスチックフィルムを重ねてその左右両側を接着し、上下は接着することなくそれぞれ通気口を形成したものである請求項２に記載の膝リハビリテーション具。
【発明の詳細な説明】
【技術分野】
【０００１】
本発明は、例えば、膝の骨折の治療段階あるいは膝の人工関節の装填段階を終えた患者に対する膝の機能回復のためのリハビリテーションに用いられる新規な膝リハビリテーション具に関するものである。
【背景技術】
【０００２】
術後の膝の機能回復のため患者に対してギブスでこり固まった（硬縮した）患部を解すために手または器具を用いて患部を擦ったり揉んだりするマッサージ療法が医療機関で行われている。
【発明の概要】
【発明が解決しようとする課題】
【０００３】
しかしながら、そのマッサージ療法は、医療費が嵩む医療機関通いでしか施されず、早期の機能回復のために、又、できるだけ医療費を嵩ませないためにも自宅等の医療現場以外の場所でリハビリ可能で個人でも容易に取り扱えるハンディタイプの器具が望まれる。
【０００４】
本発明は上述の事柄を考慮に入れてなされたものであり、早期の機能回復のために、又、できるだけ医療費を嵩ませないためにも自宅等の医療現場以外の場所でもリハビリ可能で個人でも容易に取り扱えることができる膝リハビリテーション具を提供することを目的としている。
【課題を解決するための手段】
【０００５】
上記目的を達成するため、本願の請求項１に係る発明は、給排気により膨張収縮する軟質プラスチックよりなり、斜辺部と、垂辺部と、底辺部と、斜辺部及び垂辺部を接続する第１接続部と、底辺部及び斜辺部を接続する第２接続部とを備え、前記各部には互いに連通する空気収容室が複数列設けられ、前記各部において隣接する空気収容室間には、空気収容時に谷部が形成されるよう一部に連通口を残した状態で閉鎖部が設けられている膝リハビリテーション具であって、さらに、前記空気収容室のいずれかに逆止弁付き給排気部が設けられていることを特徴とする膝リハビリテーション具を提供する。
【０００６】
本願の請求項２に係る発明は、前記逆止弁付き給排気部が設けられている空気収容室とは異なる別の空気収容室にも予備用の逆止弁付き給排気部が設けられている請求項１に記載の膝リハビリテーション具を提供する。
【０００７】
本願の請求項３に係る発明は、前記逆止弁付き給排気部は、２枚の軟質プラスチックフィルムを重ねてその左右両側を接着し、上下は接着することなくそれぞれ通気口を形成したものである請求項２に記載の膝リハビリテーション具を提供する。
【発明の効果】
【０００８】
膝リハビリテーション具は、給排気により膨張収縮する軟質プラスチックよりなり、斜辺部と、垂辺部と、底辺部と、斜辺部及び垂辺部を接続する第１接続部と、底辺部及び斜辺部を接続する第２接続部とを有している。
【０００９】
又、膝リハビリテーション具の前記各部は、互いに連通するよう複数列設けられた空気収容室を有している。
【００１０】
又、前記各部は、隣接する空気収容室間には、空気収容時に谷部が形成されるよう一部に連通口を残した状態で閉鎖部が設けられている。
【００１１】
さらに、膝リハビリテーション具は、前記空気収容室のいずれかに逆止弁付き給排気部を有している。
【００１２】
上記構成を有するから、膝リハビリテーション具の空気収容状態では、側面視略直角三角形状となり、少なくとも斜辺部と垂辺部と底辺部の三箇所のいずれかを下向きにしながら脚及び膝を載せる位置を使用者の状態に合わせて変更自在にできる。
【００１３】
その上、軟質プラスチックよりなる膝リハビリテーション具は、それに空気を注入して膨らませ、脚及び膝を載せる動作を行うだけで個人でも容易に取り扱えるハンディタイプであり、しかも空気を抜いて畳んだ状態では軽量且つ嵩張らないので、使用者は膝リハビリテーション具を容易に持ち運びでき、持ち運びの際に空気入れを携帯するだけでいつどこででもリハビリ可能である。
【００１４】
又、膝リハビリテーション具の空気収容状態では、一旦膨らませた空気収容室の内部空気圧が外部圧よりも大になるので、逆止弁付き給排気部が閉状態となって空気収容室内の空気が空気収容室内から外部にリークするのを防止できる。
【００１５】
又、膝リハビリテーション具の素材である軟質プラスチックは空気圧に応じて膨張収縮する程の軟らかさを有するものであり、空気収容状態では、空気収容室にある程度の弾力を持たせることができる。
【００１６】
故に、使用者は空気入れを使っての空気収容量の調節を行うだけで、使用者の膝の状態に合った弾力を前記調節により空気収容室に持たせることができ、空気収容量が適度に調節された空気収容室に膝及び脚を載せながら使用者は硬縮個所を手で解したり脚を動かしたりして膝のリハビリを行うことができる。
【００１７】
又、空気収容状態では、隣接する空気収容室間毎に谷部が空気収容室と同じ列方向に形成される。
【００１８】
即ち、前記谷部に沿って、隣り合う空気収容室同士が前記各部において複数配列されるので、使用者は、脚及び膝を前記各部におけるそれぞれ好ましい位置の前記谷部に載せることができ、脚及び膝の置き方を安定させながら膝のリハビリを行うことができる。
【００１９】
前記谷部が無くフラットな面に脚及び膝を載せる場合では脚及び膝の置き方を安定させることが難しく脚及び膝が滑りやすくなったりリハビリ運動がしづらいおそれがあるが、本発明ではそのような問題がない。
【００２０】
そして、本発明において、逆止弁付き給排気部が設けられている空気収容室とは異なる別の空気収容室にも予備用の逆止弁付き給排気部を設ける場合には、弛んだり破れたり等して使用不能になった逆止弁付き給排気部の代用にできる。
【００２１】
又、本発明において、前記逆止弁付き給排気部は、２枚の軟質プラスチックフィルムを重ねてその左右両側を接着し、上下は接着することなくそれぞれ通気口を形成したものである場合には、ごく簡単な構造により、通気口の上下方向に沿って空気を収容することができるとともに、一旦空気を収容すれば空気収容室の内圧による逆止弁効果を生じさせることができ、前記逆止弁付き給排気部からの外部への空気漏れを回避できる。尚、前記通気口からストロー状の空気抜き具を挿入するだけで、膝リハビリテーション具から空気を抜くことができるとともに、空気の注入量の調整と同様に空気の抜け量をも自在に調整でき、空気収容室の膨れの程度を容易に変更できる。例えば、空気収容室が極めて硬い状態のカチカチ状態から軽く押すと凹む状態にまで空気収容室の弾力を適宜変更できる。
【図面の簡単な説明】
【００２２】
【図１】本発明の一実施形態に係る膝リハビリテーション具を示す展開図である。
【図２】図１のものを二つ折りにした状態で、且つ空気収容前の状態を示す斜視図である。
【図３】（ａ）〜（ｃ）はいずれも図１におけるＡ−Ａ線拡大断面図であり、（ａ）は、空気収容前の状態を示す断面図である。（ｂ）は、空気収容中の状態を示す断面図である。（ｃ）は、空気収容後、逆止弁効果で通気口を閉じた状態を示す断面図である。
【図４】図２におけるＢ−Ｂ線部分分解斜視図であり、図示されている８部材のうち、上側の３部材は下方から見た状態を示し、下側の５部材は、上から見た状態を示している。
【図５】上記実施形態に係る膝リハビリテーション具において、空気収容時における使用可能な形状を示す斜視図である。
【図６】上記実施形態に係る膝リハビリテーション具において、使用状態を示す斜視図である。
【発明を実施するための形態】
【００２３】
以下、本発明の実施形態について説明する。なお、それによって本発明は限定されるものではない。図１〜図６は、本発明の一実施形態を示す。尚、各図において網目で示す部分は熱溶着や接着剤等により接着される部分である。
【００２４】
図１〜図６において、膝リハビリテーション具１は、給排気により膨張収縮する二枚の上下（表裏）軟質プラスチックシート２，３よりなる。軟質プラスチックとして例えばポリエチレン／ナイロン／ポリエチレンの三層構造のものが用いられる。
【００２５】
膝リハビリテーション具１は、展開状態において、前記表側シート２と前記裏側シート３とよりなる平面視矩形状のもので、両矢印Ｔ（図１参照）で示す列方向に長く、後述する逆止弁付き給排気部１１及び１１ａの前記シート２，３への取付個所（図４に示すＭ−Ｎ間、Ｍ’−Ｎ’間、Ｘ−Ｙ間、Ｘ’−Ｙ’間）を除いて全周にわたり周囲が接着（熱溶着、接着剤等）されている。
【００２６】
即ち、表側シート２の端部の下面ｍ（図４参照）と裏側シート３の端部の上面ｎの周囲が接着されている。
【００２７】
そして、膝リハビリテーション具１は、斜辺部４と、垂辺部５と、底辺部６と、斜辺部４及び垂辺部５を接続する第１接続部７と、底辺部６及び斜辺部４を接続する第２接続部８とを備え、前記各部４〜８には互いに連通する空気収容室Ｒが複数列設けられている。  
【００２８】
前記各部４〜８において隣接する空気収容室Ｒ，Ｒ間には、空気収容時に谷部Ｖが形成されるよう一部に連通口９を残した状態で閉鎖部１０が設けられている。図５に示す膝リハビリテーション具１は、図１に示す上下（表裏）二枚の軟質プラスチックシート２，３よりなり空気を抜いてある膝リハビリテーション具１を、図２に示すように裏側同士を合わせるようにし、且つ図中の網目部分を接着するとともに湾曲形状に折り曲げたものにし、この状態で膨らませたものである。
【００２９】
前記閉鎖部１０は、表側シート２と裏側シート３を接着（熱溶着、接着剤等）することにより形成される。
【００３０】
閉鎖部１０は、平面視直線形状、略十字形状、Ｔ形状等の、空気収容時に谷部Ｖが形成されるような特有のパターン形状に形成されている。
【００３１】
以下、逆止弁付き給排気部１１，１１ａについて詳述する。尚、図５、図６においては図示を省略している。逆止弁付き給排気部１１，１１ａは、この実施形態では底辺部６及び斜辺部４を接続する第２接続部８と斜辺部４の境に取付られている。
【００３２】
前記空気収容室Ｒのいずれかに逆止弁付き給排気部１１が設けられているとともに、逆止弁付き給排気部１１が設けられている空気収容室Ｒとは異なる別の空気収容室Ｒにも予備用で逆止弁付き給排気部１１と同一の逆止弁付き給排気部１１ａが設けられている。この実施形態では、隣接する空気収容室Ｒ及びＲにそれぞれ逆止弁付き給排気部１１及び１１ａが設けられている。
【００３３】
一方の逆止弁付き給排気部１１は、上下２枚の平面視矩形形状の軟質プラスチックフィルムＦ，ｆを重ねてその左右両側を接着し、上下は接着することなくそれぞれ通気口１２を形成したものである。図４における両矢印Ｄは左右方向を示し、両矢印Ｔは列方向、即ち前記フィルムＦ，ｆにおける上下の方向を示す。
【００３４】
上下２枚の軟質プラスチックフィルムＦ，ｆは、図３（ａ）に示すように、表側シート２の前記下面ｍと裏側シート３の前記上面ｎに挟まれた状態で左右両側が接着されている。
【００３５】
即ち、前記フィルムＦ，ｆは、図４に示すように、左右両側における長手方向（この場合Ｔ方向）に設けられた接着部２０を上下両面に有している。接着部２０は、閉鎖部１０と同様に特有のパターン形状に形成されている。
【００３６】
そして、フィルムＦ，ｆ同士の接着は、フィルムＦの下面の左右接着部２０，２０とフィルムｆの上面の左右接着部２０，２０による。
【００３７】
又、図４、図３（ｂ）に示すように、フィルムＦの上面の左右接着部２０，２０における接着部分（パターン形状が平面視で四角形状の部分）２０ａ，２０ａがフィルムＦの前記シート２，３からの突出部分である先端部分２０ｂを残して表側シート２の前記下面ｍの対応位置に接着される。同様に、フィルムｆの下面の左右接着部２０，２０における接着部分２０ａ，２０ａがフィルムｆの前記シート２，３からの突出部分である先端部分２０ｂを残して裏側シート３の前記上面ｎの対応位置に接着される。
【００３８】
前記フィルムＦ，ｆ、Ｆ’，ｆ’は、平面視矩形で同一形状をなしており、予備の逆止弁付き給排気部１１ａを構成する上下２枚の軟質プラスチックフィルムＦ’，ｆ’も、前記フィルムＦ，ｆと同様の取付方がなされる。
【００３９】
前記フィルムＦ’，ｆ’も表側シート３の前記下面ｍと裏側シート３の前記上面ｎに挟まれた状態で接着されている。その際、フィルムＦ’，ｆ’同士の接着は、フィルムＦ’の下面の左右接着部２０，２０とフィルムｆ’の上面の左右接着部２０，２０とによる。又、フィルムＦ’の上面の左右接着部２０，２０における接着部分２０ａ，２０ａが表側シート２の前記下面ｍの対応位置に接着される。一方、フィルムｆ’の下面の左右接着部２０，２０における接着部分２０ａ，２０ａが裏側シート３の前記上面ｎの対応位置に接着される。尚、図４における中心線Ｏ−Ｏ’を軸にしてその上側の図部分を１８０°回転して下側の図部分に重ね合わせると理解しやすい。
【００４０】
尚、逆止弁付き給排気部１１，１１ａの構成部材であるフィルムＦ，ｆ、Ｆ’，ｆ’の素材を軟質プラスチック製としたが、本発明では、その他の好ましい素材を適用できる。  
【００４１】
而して、早期の機能回復のために、又、できるだけ医療費を嵩ませないためにも自宅等の医療現場以外の場所でもリハビリ可能で個人でも容易に取り扱えることができる膝リハビリテーション具を提供することができる。
【００４２】
そして、膝リハビリテーション具１の空気収容状態では、側面視略直角三角形状となり、脚３０及び膝関節部分３１を載せる位置を使用者の状態に合わせて変更自在にできる。尚、この実施形態では底辺部６を下向きにしながら脚３０を斜辺部４に形成されている谷部（溝）Ｖに、膝関節部分３１を第１接続部７に形成されているの谷部（溝）Ｖに載せている。
【００４３】
その上、軟質プラスチックよりなる膝リハビリテーション具１は、それに空気を注入して膨らませ、脚３０及び膝関節部分３１を載せる動作を行うだけで個人でも容易に取り扱えるハンディタイプであり、しかも空気を抜いて畳んだ状態では軽量且つ嵩張らないので、使用者は膝リハビリテーション具１を容易に持ち運びでき、持ち運びの際に空気入れを携帯するだけでいつどこででもリハビリ可能である。畳んだ状態は図３（ａ）に示されている。図３（ｂ）は市販の空気入れを用い空気入れ中の状態を示す。
【００４４】
又、図３（ｃ）に示すように、膝リハビリテーション具１の空気収容状態では、一旦膨らませた空気収容室Ｒの内部空気圧Ｐが外部圧Ｐ’よりも大（Ｐ＞Ｐ’）になるので、逆止弁効果により逆止弁付き給排気部１１が閉状態となって空気収容室Ｒ内の空気４１が空気収容室Ｒ内から外部に逆上してリークするのを防止できる。
【００４５】
即ち、逆止弁付き給排気部１１，１１ａは、２枚の軟質プラスチックフィルムＦ，ｆ、Ｆ’，ｆ’を重ねてその左右両側を接着し、上下は接着することなくそれぞれ通気口１２，１２を形成したものであるので、図３（ｂ）に示すように、通気口１２のＴ方向に沿って空気入れの注入パイプを差し込み空気４１を収容することができるとともに、一旦空気４１を収容すれば空気収容室Ｒの内圧Ｐによる逆止弁効果を生じさせることができ、前記逆止弁付き給排気部１１，１１ａからの外部への空気漏れを回避できる。
【００４６】
そして、予備用の逆止弁付き給排気部１１ａを、弛んだり破れたり等して使用不能になったもう逆止弁付き給排気部１１の代用にできる。
【００４７】
又、図３（ｃ）に示す通気口１２からストロー等の空気抜き具（図示せず）を挿入することにより、膝リハビリテーション具１を空気を抜いた図３（ａ）に示す状態に戻すことができるとともに、空気の注入量の調整と同様に空気の抜け量をも自在に調整でき、空気収容室Ｒの膨れの程度を容易に変更できる。例えば、空気収容室Ｒが極めて硬い状態のカチカチ状態から手で押さえると簡単に凹む状態にまで空気収容室Ｒの弾力を適宜変更できる。
【符号の説明】
【００４８】
１              膝リハビリテーション具
４              斜辺部
５              垂辺部
６              底辺部
７              第１接続部
８              第２接続部
Ｒ              空気収容室
Ｖ              谷部
９              連通口
１０            閉鎖部
１１，１１ａ    逆止弁付き給排気部
【図１】
2018201757.tif 000003
【図２】
2018201757.tif 000004
【図３】
2018201757.tif 000005
【図４】
2018201757.tif 000006
【図５】
2018201757.tif 000007
【図６】
2018201757.tif 000008